(57)【要約】【課題】電子黒板装置を用いた会議や打ち合わせにおいて、漢字検索や英単語検索などの文字検索における作業効率の向上を図ることができる、電子黒板装置を提供する。【解決手段】文字検索キーに対するキー操作によって文字検索処理の開始を受け付けた場合、シート送り部によって搬送される筆記シート上の画像を光学読取部２０３によって読み取った画像データを文字認識部６００で文字認識処理して文字情報を得て、得られた文字情報に基づいて少なくとも１以上の文字を文字検索部７００で検索し、検索された文字を表示装置に表示する。これにより、電子黒板装置１００を用いた会議や打ち合わせにおいて、他の電子機器などを使用することなく、電子黒板装置１００に対する筆記によって即座に正しい文字（漢字や英単語など）を検索できるので、文字検索における作業効率の向上を図ることができる。【選択図】図４
2011051291.tif 000002
【特許請求の範囲】
【請求項１】
フレームの開口部に略一致する筆記面を有しており、エンドレスな帯状の筆記シートと、
前記筆記シートを正逆方向に回転搬送するシート送り部と、
前記シート送り部によって搬送される前記筆記シート上の画像を画像データとして光学的に読み取る光学読取部と、
文字検索キーに対するキー操作に応じて文字検索処理の開始を受け付ける開始受付部と、
前記開始受付部で文字検索処理の開始を受け付けた場合、前記シート送り部および前記光学読取部を駆動して前記筆記シート上の画像を画像データとして読み取る画像読取部と、
前記画像読取部によって読み取られた画像データを文字認識処理して文字情報を得る文字認識部と、
前記文字認識部によって得られた文字情報に基づいて少なくとも１以上の文字を検索する文字検索部と、
前記文字検索部によって検索された文字を表示装置に表示する文字表示部と、
を備えることを特徴とする電子黒板装置。
【請求項２】
前記筆記シートは、文字に係る検索情報を筆記させるための文字検索領域を前記筆記面上に有しており、
前記画像読取部は、前記光学読取部が１ライン毎に読み取る範囲を前記文字検索領域に該当する部分に限定するとともに、前記光学読取部が前記文字検索領域上の画像を読み取れる分だけ前記筆記シートを正方向に搬送した後、前記筆記シートを逆方向に搬送して元の位置に戻すように前記シート送り部を制御する、
ことを特徴とする請求項１記載の電子黒板装置。
【請求項３】
前記文字検索領域は、前記筆記面における前記シート送り部による正方向の搬送方向下流側端部に形成されている、
ことを特徴とする請求項２記載の電子黒板装置。
【請求項４】
前記文字検索キーおよび前記表示装置は、前記文字検索領域の近傍に位置する前記フレームに配設される、
ことを特徴とする請求項２または３記載の電子黒板装置。
【請求項５】
前記文字検索領域は、前記フレームに形成される領域指定線によって指定される、
ことを特徴とする請求項２ないし４のいずれか一記載の電子黒板装置。
【請求項６】
前記文字検索領域は、前記筆記シートの前記筆記面上に複数形成され、
前記文字認識部は、前記文字検索領域毎に前記光学読取部によって読み取られた画像データを文字認識処理して複数の文字情報を得る、
ことを特徴とする請求項２ないし４のいずれか一記載の電子黒板装置。
【発明の詳細な説明】
【技術分野】
【０００１】
本発明は、電子黒板装置に関する。
【背景技術】
【０００２】
従来、筆記領域にマーカーペン等の筆記具で描かれた筆記内容（例えば、文字や図形、表）をスキャナで読み取ってデジタルデータ化し、プリンタからその筆記内容を印刷出力できるようにした電子黒板装置がある（例えば、特許文献１）。
【発明の概要】
【発明が解決しようとする課題】
【０００３】
ところで、日頃、パーソナルコンピュータのワードプロセッサ機能による文書作成が多いため、手書きの筆記による電子黒板装置を用いた会議や打ち合わせを行っている際に漢字や英単語のスペルを忘れてしまうような場合がある。
【０００４】
このような場合においては、筆記者は、例えば携帯電話や電子辞書等を使って検索を行うなどして正しい漢字や英単語を見つけ出しており、必ずしも作業効率の良いものではなかった。
【０００５】
本発明は、上記に鑑みてなされたものであって、電子黒板装置を用いた会議や打ち合わせにおいて、漢字検索や英単語検索などの文字検索における作業効率の向上を図ることができる、電子黒板装置を提供することを目的とする。
【課題を解決するための手段】
【０００６】
上述した課題を解決し、目的を達成するために、本発明の電子黒板装置は、フレームの開口部に略一致する筆記面を有しており、エンドレスな帯状の筆記シートと、前記筆記シートを正逆方向に回転搬送するシート送り部と、前記シート送り部によって搬送される前記筆記シート上の画像を画像データとして光学的に読み取る光学読取部と、文字検索キーに対するキー操作に応じて文字検索処理の開始を受け付ける開始受付部と、前記開始受付部で文字検索処理の開始を受け付けた場合、前記シート送り部および前記光学読取部を駆動して前記筆記シート上の画像を画像データとして読み取る画像読取部と、前記画像読取部によって読み取られた画像データを文字認識処理して文字情報を得る文字認識部と、前記文字認識部によって得られた文字情報に基づいて少なくとも１以上の文字を検索する文字検索部と、前記文字検索部によって検索された文字を表示装置に表示する文字表示部と、を備えることを特徴とする。
【発明の効果】
【０００７】
本発明にかかる電子黒板装置によれば、文字検索キーに対するキー操作によって文字検索処理の開始を受け付けた場合、シート送り部によって搬送される筆記シート上の画像を光学読取部によって読み取った画像データを文字認識処理して文字情報を得て、得られた文字情報に基づいて少なくとも１以上の文字（漢字や英単語など）を検索し、検索された文字（漢字や英単語など）を表示装置に表示することにより、電子黒板装置を用いて会議や打ち合わせを行っている際に文字（漢字や英単語など）を忘れてしまったような場合においては、筆記者は、筆記シートの筆記面に読み仮名や部首などを記入してから文字検索キーを操作することにより、表示装置には、筆記シートの筆記面に記載した文字情報（読み仮名や部首など）に基づいて検索された少なくとも１以上の文字（漢字や英単語など）が表示されるので、筆記者は、表示された文字（漢字や英単語など）の中から所望の文字（漢字や英単語など）を見つけ出して電子黒板装置の筆記シートの筆記面に筆記を行うようにすれば良いことから、電子黒板装置を用いた会議や打ち合わせにおいて、他の電子機器などを使用することなく、電子黒板装置に対する筆記によって即座に正しい文字（漢字や英単語など）を検索できるので、文字検索における作業効率の向上を図ることができる、という効果を奏する。
【図面の簡単な説明】
【０００８】
【図１】図１は、本発明の一実施の形態に係る電子黒板装置を示す斜視図である。
【図２】図２は、電子黒板装置の内部構造を概略的に示す横断平面図である。
【図３】図３は、電子黒板装置の内部構造を概略的に示す縦断正面図である。
【図４】図４は、電子黒板装置のハードウェア構成を示すブロック図である。
【図５】図５は、操作パネルを示す正面図である。
【図６】図６は、漢字表示パネルを示す正面図である。
【図７】図７は、漢字表示処理の流れを示すフローチャートである。
【図８】図８は、電子黒板装置の変形例を示す斜視図である。
【図９】図９は、電子黒板装置の別の変形例を示す斜視図である。
【発明を実施するための形態】
【０００９】
以下に添付図面を参照して、本発明の一実施の形態に係る電子黒板装置の最良な実施の形態を詳細に説明する。
【００１０】
図１は、本発明の一実施の形態に係る電子黒板装置１００を示す斜視図、図２は電子黒板装置１００の内部構造を概略的に示す横断平面図、図３は電子黒板装置１００の内部構造を概略的に示す縦断正面図である。
【００１１】
図１に示すように、電子黒板装置１００は、一対のスタンド１０１と、一対のスタンド１０１によって支持される長方形のフレーム１１０とを備えており、床面に設置される。フレーム１１０は、筆記者側が開放された開口部１１０ａとなっており、筆記者側とは反対側の面はカバー１１０ｂ（図２参照）で覆われている。このフレーム１１０には、エンドレスとなった帯状の筆記用の筆記シート１０２が収納されている。尚、筆記シート１０２の素材には、ポリエチレン製のものなどが採用されている。
【００１２】
フレーム１１０の筆記者側となる開口部１１０ａから外部に露出した部分にあたる筆記シート１０２が、マーカーペン等によって文字や図形等の画像（描画）が筆記される板面である筆記面１０３となる。この筆記された画像は、溶剤等が含浸されたクリーナなどで拭き取ることにより容易に消去することができる。なお、本明細書中では筆記面１０３上の描画についても画像というものとする。
【００１３】
加えて、筆記シート１０２の筆記面１０３には、ＣＣＤラインセンサ３０４（図２参照）で読み取れない色であるが人間の視覚的には認識できる色（例えば、薄い緑色や灰色）で所定の大きさを有する漢字検索領域（文字検索領域）Ｘが形成されている。なお、漢字検索領域Ｘの詳細については後述する。
【００１４】
また、筆記面１０３側から見てフレーム１１０の右下には、ＣＣＤラインセンサ３０４（図２及び図３参照）によって読み取られた画像を用紙（図示せず）に印刷して発行するためのプリンタ１０４が設けられている。
【００１５】
フレーム１１０は、筆記面１０３の上方に位置する上縁部１１１と、筆記面１０３の両側に位置する左側縁部１１２及び右側縁部１１３と、筆記面１０３の下方に位置し、手前側に向け突出形成された下側棚部１１４とを備える。
【００１６】
フレーム１１０において、上縁部１１１と、左側縁部１１２及び右側縁部１１３とは、上縁部１１１の両側に配置された左上側コーナ部材１１５及び右上側コーナ部材１１６を介して接続されている。また、フレーム１１０において、下側棚部１１４は、左側縁部１１２及び右側縁部１１３の両下方に配置された左下側コーナ部材１１７及び右下側コーナ部材１２０を介して接続されている。
【００１７】
フレーム１１０の下側棚部１１４は、筆記面１０３より手前側に突出形成されている。これにより、下側棚部１１４は、マーカーペンやクリーナを配置することができる他、筆記面１０３の画像をクリーナで除去した際に発生する消し粉を受けることができる。
【００１８】
フレーム１１０の右側縁部１１３には、電子黒板装置１００を操作するための各種のボタンを有する操作パネル１０７が一体的に設けられている。
【００１９】
また、フレーム１１０の左側縁部１１２には、後述する漢字表示に用いる漢字表示パネル５０１が一体的に設けられている。
【００２０】
さらに、右下側コーナ部材１２０には、電子黒板装置１００のオンオフ操作を行う電源スイッチ１４１と、外部記憶媒体としてのＵＳＢメモリ１５０やパーソナルコンピュータ１６０が接続できるコネクタの役割を果たすＵＳＢポート１４２とが配置されている。
【００２１】
図２に示すように、筆記面１０３側から見てフレーム１１０内の左右両端部には、筆記シート１０２を回転して搬送させる一対のローラ２０１が設けられている。ローラ２０１は鉛直方向に向けられた軸心を有するもので、一対のローラ２０１間にはエンドレスとなった帯状の筆記シート１０２が掛け渡されて、一方のローラ２０１には図示しないベルト伝動機構を介してモータ２０２（図４参照）が連結されている。そして、モータ２０２が駆動されるとベルト伝動機構（図示せず）を介してローラ２０１が回転し、このローラ２０１の回転により筆記シート１０２が筆記面１０３に対して左右方向（正逆方向）に回転搬送される。すなわち、ローラ２０１、ベルト伝動機構、モータ２０２によって、筆記シート１０２を正逆方向に回転搬送するシート送り部が構成されている。
【００２２】
筆記シート１０２の筆記面１０３のすぐ背後には、筆記面１０３に対する筆記性を確保するための筆記ボード２５１が配設されている。
【００２３】
筆記シート１０２の筆記面１０３と反対側（以下、筆記シート１０２の背面側と称する）には、筆記面１０３に筆記された文字、図形等の画像を画像データとして読み取るための光学読取部２０３が設けられている。この光学読取部２０３は、筆記シート１０２の背面側であって一方のローラ２０１側に位置させて、筆記シート１０２に光を照射するための例えば蛍光灯からなる光源３０１を有している。
【００２４】
電子黒板装置１００は、光学読取部２０３の一部として、ミラー３０２及びレンズ３０３を有し、光源３０１が筆記シート１０２へと光を照射して、その反射光を集光する縮小光学系である光学系３０５と、光学系３０５により集光された光を受光するＣＣＤラインセンサ３０４とを備えている。
【００２５】
図４は、電子黒板装置１００のハードウェア構成を示すブロック図である。図４に示すように、電子黒板装置１００は、各種の動作を制御するＣＰＵ４０１を備えている。このＣＰＵ４０１には、制御プログラムや画像処理パラメータ等の固定データを記憶するＲＯＭ４０２と、各種データを一時的に記憶しワークエリアとして使用されるＲＡＭ４０３とがバスライン４１１を介して接続されている。なお、ＲＯＭ４０２はＣＰＵ４０１に内蔵されていてもよい。すなわち、ＣＰＵ４０１、ＲＯＭ４０２、及びＲＡＭ４０３は、情報処理を実行する情報処理部４２１を構成する。ＣＰＵ４０１には、操作パネル１０７、モータ２０２、漢字表示パネル５０１がそれぞれ入出力回路（いずれも図示せず）とバスライン４１１とを介して接続されている。
【００２６】
操作パネル１０７は、図５に示すように、電源スイッチ５１、プラスキー５２およびマイナスキー５３により印字枚数を設定表示可能な２桁の７セグメントＬＥＤ５４、筆記シート１０２を左方向（正方向）であるＡ方向（図１参照）にフィードしたり停止させたりする送り・停止キー５５、筆記シート１０２の筆記面１０３に筆記された画面を読み取って、その画像をＬＥＤ５４に表示された枚数に従ってプリンタ１０４により印字するように指示するための読取・印字キー５６を備えている。
【００２７】
漢字表示パネル５０１は、図６に示すように、漢字表示を行うように指示するための漢字検索キー（文字検索キー）５０２、表示装置であるＬＣＤ５０３、手動での補助的な漢字検索に用いるキーボード５０４を備えている。なお、漢字表示パネル５０１は、図１に示すように、筆記シート１０２の筆記面１０３に形成された漢字検索領域Ｘの近傍に配設される。このように漢字表示パネル５０１を漢字検索領域Ｘの近傍に配設するのは、詳細は後述するが、電子黒板装置１００を用いて会議や打ち合わせを行っている際に漢字を忘れてしまったような場合においては、筆記者は、筆記シート１０２の筆記面１０３に形成された漢字検索領域Ｘに読み仮名や部首などを記入してから漢字表示パネル５０１の漢字検索キー５０２を押下することから、操作性を考慮してのものである。なお、キーボード５０４は、配設されている漢字検索に用いる各種キーを操作することによって、読み仮名の入力を筆記者に行なわせるものである。漢字表示パネル５０１自体は、電子黒板装置１００のフレーム１１０内に納めるため、できるだけ小さくしたほうが望ましい。そこで、必要最小限とするため、図６に示すような携帯電話のようなキー配列が望ましい。
【００２８】
加えて、ＣＰＵ４０１には、光源３０１に接続されてこの光源３０１の点灯を制御するインバータ等である点灯回路４０５が、バスライン４１１を介して接続されている。
【００２９】
また、ＣＰＵ４０１には、バスライン４１１とＵＳＢコントローラ４０６とを介してＵＳＢポート１４２が接続されている。このようなＵＳＢポート１４２には、プリンタ１０４、ＵＳＢメモリ１５０やパーソナルコンピュータ１６０などが接続される。
【００３０】
さらにこのＣＰＵ４０１には、ＣＣＤラインセンサ３０４に接続されて、読み取られた画像データに対して、各種画像処理を施す各種回路等によって構成された画像処理部４０４がバスライン４１１を介して接続されている。画像処理部４０４により処理された画像は、ＣＰＵ４０１の制御によりＵＳＢコントローラ４０６、ＵＳＢポート１４２を介して接続されたＵＳＢメモリ１５０やパーソナルコンピュータ１６０に出力することができる。
【００３１】
さらにこのＣＰＵ４０１には、漢字表示を行う漢字表示部（文字表示部）５１０がバスライン４１１を介して接続されている。図４に示すように、漢字表示部５１０は、文字認識部６００と漢字検索部（文字検索部）７００とを備えている。
【００３２】
文字認識部６００は、筆記シート１０２の筆記面１０３の漢字検索領域Ｘ内に筆記された画像データをＯＣＲ（Optical  Character  Reader）処理して文字情報を得る。
【００３３】
漢字検索部７００は、手書きした文字に似ている漢字などを一覧表示する一般的な漢字提示ソフトウェア（例えば、Microsoft（Ｒ）のＩＭＥパッド）や、かな入力に応じて漢字などを変換する漢字変換機能を有するワードプロセッサソフトウェアなどの周知の技術であって、文字認識部６００で認識した文字情報（読み仮名や部首など）に基づき、漢字リストファイル（図示せず）に登録されている漢字から少なくとも１以上の漢字を検索する。
【００３４】
加えて、ＣＰＵ４０１には、各部に電力を供給する電源装置（図示せず）を制御する電源制御部４０８がバスライン４１１を介して接続されており、電源スイッチ１４１により電源制御部４０８を操作して電子黒板装置１００のオンオフ操作を行う。
【００３５】
このように構成された電子黒板装置１００で、操作パネル１０７が有する読取・印字キー５６が押下された場合において、ＣＰＵ４０１がＲＯＭ４０２に格納された制御プログラムに従い実行する処理について説明する。
【００３６】
電源スイッチ１４のオン操作に伴う点灯回路４０５の動作により光源３０１が点灯している状態での読取・印字キー５６の押下により、ＣＰＵ４０１は、モータ２０２を回転駆動させる。これにより、筆記シート１０２の筆記面１０３に、光源３０１からの光が照射される。そして、光学系３０５が筆記面１０３からの反射光を集光して、集光された光をＣＣＤラインセンサ３０４が１ライン毎に受光することで筆記面１０３に筆記された画像が画像データとして読み取りされる。
【００３７】
ＣＰＵ４０１は、ＣＣＤラインセンサ３０４により１ライン毎に読み取られた画像データを、電気信号へと変換し、画像処理部４０４に出力する。画像処理部４０４では、電気信号は増幅器及びオフセット回路（図示せず）にてゲインやオフセットが調整された後、Ａ／Ｄ変換部（図示せず）でデジタル信号の画像データへと変換される。その後、画像処理部４０４では、ＣＣＤラインセンサ３０４を構成する複数の素子により発生するシェーディング歪みによる誤差を補正するため、読み込まれた各画素信号に対し、シェーディング補正回路（図示せず）において公知のシェーディング補正が行われ、さらに明度補正回路（図示せず）にて、明度補正が施された後、出力される。情報処理部４２１は、画像処理部４０４から出力された画像データをＲＡＭ４０３に各種画像処理後の画像データとして記憶させる。
【００３８】
そして、ＣＰＵ４０１は、プリンタ１０４を駆動させて、ＲＡＭ４０３に記憶された画像データに基づく画像を印刷用紙にプリントアウトさせる。また、ＣＰＵ４０１は、ＲＡＭ４０３に記憶された画像データを、例えばＴＩＦＦ形式として、ＵＳＢコントローラ４０６を介してＵＳＢポート１４２に出力して、ＵＳＢメモリ１５０に上書きすることなく格納する。
【００３９】
次に、電子黒板装置１００で、漢字表示パネル５０１が有する漢字検索キー５０２が押下された場合において、ＣＰＵ４０１がＲＯＭ４０２に格納された制御プログラムに従い実行する漢字表示処理について図７に示すフローチャートを参照しつつ説明する。
【００４０】
電源スイッチ１４のオン操作に伴う点灯回路４０５の動作により光源３０１が点灯している状態での漢字検索キー５０２の押下により、ＣＰＵ４０１（開始受付部４０１ａ）は、漢字検索処理の開始を受け付ける。図７に示すように、ＣＰＵ４０１（画像読取部４０１ｂ）は、漢字検索処理の開始を受け付けた場合（ステップＳ１のＹｅｓ）、まずモータ２０２を回転駆動させるとともに、光学読取部２０３（ＣＣＤラインセンサ３０４）を駆動する（ステップＳ２）。これにより、光学系３０５が筆記面１０３からの反射光を集光して、集光された光をＣＣＤラインセンサ３０４が１ライン毎に受光することで筆記面１０３に筆記された画像が画像データとして順次読み取りされる。
【００４１】
ここで、漢字検索キー５０２が押下された場合のＣＰＵ４０１（画像読取部４０１ｂ）による処理において、操作パネル１０７が有する読取・印字キー５６が押下された場合の処理と異なる点は、ＣＣＤラインセンサ３０４が１ライン毎に読み取る範囲が漢字検索領域Ｘに該当する部分のみに限定されている点である。これは、漢字検索キー５０２が押下される場合においては、筆記シート１０２の筆記面１０３に形成された漢字検索領域Ｘ内に筆記された画像が画像データとして読み取られれば足りるからである。加えて、漢字検索キー５０２が押下された場合の処理において、操作パネル１０７が有する読取・印字キー５６が押下された場合の処理と異なる点は、ＣＰＵ４０１（画像読取部４０１ｂ）は、モータ２０２の回転駆動を筆記シート１０２の筆記面１０３に形成された漢字検索領域ＸがＣＣＤラインセンサ３０４を通過した時点で停止させて画像読み取りを終了させるとともに、画像読み取り終了後にモータ２０２の回転駆動を逆回転させて筆記シート１０２を右方向（逆方向）に移動させて元の位置に戻す点である。これにより、筆記シート１０２の筆記面１０３の漢字検索領域Ｘ内に筆記された画像のみが画像データとして読み取りされる。
【００４２】
なお、本実施の形態の電子黒板装置１００のように、漢字検索領域Ｘを、筆記シート１０２の筆記面１０３のモータ２０２の正転による移動方向下流に位置する端部に形成したのは、上述のような漢字検索領域Ｘのみの読み取り処理を短時間で処理するようにするためである。
【００４３】
このようにしてＣＣＤラインセンサ３０４によって１ライン毎に読み取られる漢字検索領域Ｘは、漢字を検索するための読み仮名や部首などを手書き入力させる手書き入力パッドとして機能する。
【００４４】
その後、ＣＰＵ４０１は、ＣＣＤラインセンサ３０４により１ライン毎に読み取られた画像データを画像処理部４０４に出力した後（ステップＳ３）、各種画像処理後の画像データを漢字表示部５１０に出力する（ステップＳ４）。漢字表示部５１０は、文字認識部６００において各種画像処理後の画像データから文字情報を得るとともに、漢字検索部７００において文字認識部６００で認識した文字情報（読み仮名や部首など）に基づき、漢字リストファイル（図示せず）に登録されている漢字から少なくとも１以上の漢字を検索する。
【００４５】
その後、ＣＰＵ４０１は、漢字表示部５１０で検索された少なくとも１以上の漢字を漢字表示パネル５０１に出力し、ＬＣＤ５０３に表示させる（ステップＳ５）。
【００４６】
したがって、電子黒板装置１００を用いて会議や打ち合わせを行っている際に漢字を忘れてしまったような場合においては、筆記者は、筆記シート１０２の筆記面１０３に形成された漢字検索領域Ｘに読み仮名や部首などを記入してから漢字表示パネル５０１の漢字検索キー５０２を押下する。このような操作により、漢字表示パネル５０１のＬＣＤ５０３には、漢字検索領域Ｘに記載した文字情報（読み仮名や部首など）に基づいて検索された少なくとも１以上の漢字が表示されるので、筆記者は、表示された漢字の中から所望の漢字を見つけ出して電子黒板装置１００の筆記シート１０２の筆記面１０３に筆記を行うようにすれば良い。
【００４７】
このように本実施の形態によれば、漢字検索キー５０２に対するキー操作によって漢字検索処理の開始を受け付けた場合、シート送り部によって搬送される筆記シート１０２上の画像を光学読取部２０３によって読み取った画像データを文字認識処理して文字情報を得て、得られた文字情報に基づいて少なくとも１以上の漢字を検索し、検索された漢字をＬＣＤ５０３に表示する。これにより、電子黒板装置１００を用いて会議や打ち合わせを行っている際に漢字を忘れてしまったような場合においては、筆記者は、筆記シート１０２の筆記面１０３に読み仮名や部首などを記入してから漢字検索キー５０２を操作することにより、ＬＣＤ５０３には、筆記シート１０２の筆記面１０３に記載した文字情報（読み仮名や部首など）に基づいて検索された少なくとも１以上の漢字が表示されるので、筆記者は、表示された漢字の中から所望の漢字を見つけ出して電子黒板装置１００の筆記シート１０２の筆記面１０３に筆記を行うようにすれば良いことから、電子黒板装置１００を用いた会議や打ち合わせにおいて、他の電子機器などを使用することなく、電子黒板装置１００に対する筆記によって即座に正しい漢字を検索できるので、漢字検索における作業効率の向上を図ることができる。
【００４８】
なお、本実施の形態においては、電子黒板装置１００の筆記シート１０２の筆記面１０３に形成された漢字検索領域Ｘに対して、筆記者に読み仮名や部首などを記入させるようにしたが、これに限るものではない。例えば、図７に示すように、電子黒板装置１００のフレーム１１０に漢字検索領域Ｘを指定させるような領域指定線Ｙを形成するようにしても良い。
【００４９】
また、本実施の形態においては、電子黒板装置１００の筆記シート１０２の筆記面１０３に１つの漢字検索領域Ｘのみを形成するようにしたが、これに限るものではない。例えば、図８に示すように、電子黒板装置１００の筆記シート１０２の筆記面１０３に複数の漢字検索領域Ｘを形成するようにしても良い。このような場合には、各漢字検索領域Ｘに対して１字ずつ読み仮名を記入させることができる。
【００５０】
なお、本実施の形態においては、電子黒板装置１００を用いて会議や打ち合わせを行っている際に漢字を忘れてしまったような場合において、筆記者が、筆記シート１０２の筆記面１０３に読み仮名や部首などを記入してから漢字検索キー５０２を操作することにより、筆記シート１０２の筆記面１０３に記載した文字情報（読み仮名や部首など）に基づいて検索された少なくとも１以上の漢字をＬＣＤ５０３に表示する漢字検索を一例に挙げて説明したが、文字検索としてはこれに限るものではない。例えば、英単語のスペルを忘れてしまったような場合において、筆記者が、筆記シート１０２の筆記面１０３にカタカナの読み仮名を記入してから文字検索キーを操作することにより、筆記シート１０２の筆記面１０３に記載した文字情報（カタカナの読み仮名）に基づいて検索された少なくとも１以上の英単語をＬＣＤ５０３に表示する英単語検索としても適用可能である。
【符号の説明】
【００５１】
１００    電子黒板装置
１０２    筆記シート
１０３    筆記面
１１０    フレーム
１１０ａ  開口部
２０１，２０２  シート送り部
２０３    光学読取部
４０１ａ    開始受付部
４０１ｂ    画像読取部
５０２    文字検索キー
５０３    表示装置
５１０    文字表示部
６００    文字認識部
７００    文字検索部
Ｘ      文字検索領域
Ｙ      領域指定線
【先行技術文献】
【特許文献】
【００５２】
【特許文献１】特開２００５−３３５１５６公報
【図１】
2011051291.tif 000003
【図２】
2011051291.tif 000004
【図３】
2011051291.tif 000005
【図４】
2011051291.tif 000006
【図５】
2011051291.tif 000007
【図６】
2011051291.tif 000008
【図７】
2011051291.tif 000009
【図８】
2011051291.tif 000010
【図９】
2011051291.tif 000011